(57)【要約】  本発明の実施形態は、マルチリンク接続のサポートにおいてパワーヘッドルームを報告するための方法を提供する。この方法は、ユーザ機器により、１つまたは複数の構成されたパワーヘッドルーム報告パラメータを、マルチリンク接続が接続された複数の基地局のうち少なくとも１つから受信するステップと、ユーザ機器において、マルチリンク接続に対応するパワーヘッドルーム報告タイマーの複数のグループをそれぞれ保持し、かつマルチリンク接続に対応するパワーヘッドルームを報告するためのトリガ条件の複数のグループをそれぞれ保持するステップであって、パワーヘッドルーム報告タイマーの複数のグループのグループ数と、パワーヘッドルームを報告するためのトリガ条件の複数のグループのグループ数とは、マルチリンク接続の接続数とそれぞれ同一である、ステップと、パワーヘッドルームを報告するためのトリガ条件の１つのグループのうち少なくとも１つのトリガ条件が、複数の基地局の対応する基地局に対して満たされると、続いて対応する基地局用のパワーヘッドルームを計算してパワーヘッドルーム報告を生成するステップと、対応する基地局へとパワーヘッドルーム報告を送るステップとを含む。
2016518063.tif 000002
【特許請求の範囲】
【請求項１】
マルチリンク接続のサポートにおいてパワーヘッドルームを報告するための方法であって、
ユーザ機器により、１つまたは複数の構成されたパワーヘッドルーム報告パラメータを、前記マルチリンク接続が接続された複数の基地局のうち少なくとも１つから受信するステップと、
前記ユーザ機器において、前記マルチリンク接続に対応するパワーヘッドルーム報告タイマーの複数のグループをそれぞれ保持し、かつ前記マルチリンク接続に対応するパワーヘッドルームを報告するためのトリガ条件の複数のグループをそれぞれ保持するステップであって、前記パワーヘッドルーム報告タイマーの前記複数のグループのグループ数と、前記パワーヘッドルームを報告するためのトリガ条件の複数のグループのグループ数とは、前記マルチリンク接続の接続数とそれぞれ同一である、ステップと、
前記パワーヘッドルームを報告するためのトリガ条件の１つのグループの少なくとも１つのトリガ条件が、前記複数の基地局の対応する基地局に対して満たされると、続いて前記対応する基地局用のパワーヘッドルームを計算してパワーヘッドルーム報告を生成するステップと、
前記対応する基地局へと前記パワーヘッドルーム報告を送るステップと
を含む、方法。
【請求項２】
前記１つまたは複数のパワーヘッドルーム報告パラメータは、パワーヘッドルーム報告周期タイマー値、パワーヘッドルーム報告禁止タイマー値、および下りリンク・パスロス変化閾値のうちの１つを少なくとも含む、請求項１に記載の方法。
【請求項３】
前記パワーヘッドルーム報告タイマーの複数のグループの各グループは、パワーヘッドルーム報告周期タイマーおよびパワーヘッドルーム報告禁止タイマーのうちの１つを少なくとも含む、請求項１に記載の方法。
【請求項４】
前記パワーヘッドルームを報告するためのトリガ条件の前記複数のグループの各グループは、
前記パワーヘッドルーム報告周期タイマーが満了すること、
前記パワーヘッドルーム報告禁止タイマーが満了するかまたは既に満了しており、かつ最後のパワーヘッドルーム報告が送られてからの下りリンク・パスロスの変化量が前記下りリンク・パスロス変化閾値を超えること、
前記少なくとも１つの基地局が、パワーヘッドルームを報告するための機能を構成または再構成すること、および
二次セルがアクティブ化されること
のうちの１つを少なくとも含む、請求項３に記載の方法。
【請求項５】
前記対応する基地局用の前記パワーヘッドルームの計算は、前記対応する基地局のアクティブ化された各キャリアについてパワーヘッドルームを計算することを含む、請求項１乃至４のいずれか１項に記載の方法。
【請求項６】
前記複数の基地局のうちいずれか２つ以上の基地局が、少なくとも１つの同じキャリアで構成される場合、前記方法は、
パワーヘッドルームを計算する際、前記２つ以上の基地局用に、前記少なくとも１つの同じキャリアについてのパワーヘッドルームをそれぞれ決定するステップを更に含む、請求項１乃至５のいずれか１項に記載の方法。
【請求項７】
マルチリンク接続のサポートにおいてパワーヘッドルームを報告するための方法であって、
基地局により、前記マルチリンク接続に対応するパワーヘッドルーム報告パラメータの複数のグループを構成するステップであって、前記パワーヘッドルーム報告パラメータの複数のグループのグループ数は、前記マルチリンク接続の接続数と同一である、ステップと、
前記パワーヘッドルーム報告パラメータの前記構成された複数のグループを、ユーザ機器へと送るステップと、
前記ユーザ機器が前記基地局用に生成するパワーヘッドルーム報告を、前記ユーザ機器から受信するステップと
を含む、方法。
【請求項８】
前記パワーヘッドルーム報告パラメータの前記複数のグループの各グループは、パワーヘッドルーム報告周期タイマー値、パワーヘッドルーム報告禁止タイマー値、および下りリンク・パスロス変化閾値のうちの１つを少なくとも含む、請求項７に記載の方法。
【請求項９】
マルチリンク接続のサポートにおいてパワーヘッドルームを報告するための装置であって、
前記マルチリンク接続が接続された複数の基地局のうち少なくとも１つから、１つまたは複数の構成されたパワーヘッドルーム報告パラメータを受信するよう構成された受信機と、
１つまたは複数の受信したパワーヘッドルーム報告パラメータを少なくとも保存するよう構成されたメモリと、
前記マルチリンク接続に対応するパワーヘッドルーム報告タイマーの複数のグループをそれぞれ保持し、かつ前記マルチリンク接続に対応するパワーヘッドルームを報告するためのトリガ条件の複数のグループをそれぞれ保持するよう構成されたプロセッサであって、前記パワーヘッドルーム報告タイマーの前記複数のグループのグループ数と、前記パワーヘッドルームを報告するためのトリガ条件の複数のグループのグループ数とは、前記マルチリンク接続の接続数と同一であり、前記パワーヘッドルームを報告するためのトリガ条件の１つのグループのうち少なくとも１つが、前記複数の基地局の対応する基地局に対して満たされると、前記対応する基地局用の前記パワーヘッドルームを計算してパワーヘッドルーム報告を生成するよう更に構成された、プロセッサと、
前記パワーヘッドルーム報告を前記対応する基地局へと送るよう構成された送信機と
を備える装置。
【請求項１０】
前記１つまたは複数のパワーヘッドルーム報告パラメータは、パワーヘッドルーム報告周期タイマー値、パワーヘッドルーム報告禁止タイマー値、および下りリンク・パスロス変化閾値のうちの１つを少なくとも含む、請求項９に記載の装置。
【請求項１１】
前記パワーヘッドルーム報告タイマーの複数のグループの各グループは、パワーヘッドルーム報告周期タイマーおよびパワーヘッドルーム報告禁止タイマーのうちの１つを少なくとも含む、請求項９に記載の装置。
【請求項１２】
前記パワーヘッドルームを報告するためのトリガ条件の前記複数のグループの各グループは、
前記パワーヘッドルーム報告周期タイマーが満了すること、
前記パワーヘッドルーム報告禁止タイマーが満了するかまたは既に満了しており、かつ最後のパワーヘッドルーム報告が送られてからの下りリンク・パスロスの変化量が前記下りリンク・パスロス変化閾値を超えること、
前記少なくとも１つの基地局が、前記パワーヘッドルームを報告するための機能を構成または再構成すること、および
二次セルがアクティブ化されること
のうちの１つを少なくとも含む、請求項１１に記載の装置。
【請求項１３】
前記プロセッサは、前記対応する基地局のアクティブ化された各キャリアについて、前記パワーヘッドルーム報告を生成するよう更に構成される、請求項９乃至１２のいずれか１項に記載の装置。
【請求項１４】
前記複数の基地局のうちいずれか２つ以上の基地局が、少なくとも１つの同じキャリアで構成される場合、前記プロセッサは、
前記パワーヘッドルームを計算する際に、前記２つ以上の基地局用に、前記少なくとも１つの同じキャリアについてのパワーヘッドルームをそれぞれ計算するよう更に構成される、請求項９乃至１３のいずれか１項に記載の装置。
【請求項１５】
マルチリンク接続のサポートにおいてパワーヘッドルームを報告するための装置であって、
前記マルチリンク接続に対応するパワーヘッドルーム報告パラメータの複数のグループを構成するよう構成されたプロセッサであって、前記パワーヘッドルーム報告パラメータの複数のグループのグループ数は、前記マルチリンク接続の接続数と同一である、プロセッサと、
前記パワーヘッドルーム報告パラメータの構成された複数のグループをユーザ機器へと送るよう構成された送信機と、
前記ユーザ機器が前記基地局用に生成するパワーヘッドルーム報告を前記ユーザ機器から受信するよう構成された受信機と、
前記パワーヘッドルーム報告パラメータの構成された複数のグループと、前記受信したパワーヘッドルーム報告とを保存するよう構成されたメモリと
を備える装置。
【発明の詳細な説明】
【技術分野】
【０００１】
本発明の様々な実施形態は、概して無線通信システムに関し、より詳細には無線通信システムで使用するための、マルチリンク接続のサポートにおいてパワーヘッドルームを報告するための方法および装置に関する。
【背景技術】
【０００２】
容量の改善および低電力ノードによりもたらされるブラインドスポットをカバーする範囲の利点を考慮すると、ＬＴＥ／ＬＴＥ−Ａ（ＬＴＥ−Ａｄｖａｎｃｅｄ）におけるスモールセルの配置および強化に大きな関心が存在する。３ＧＰＰ  Ｒ１２では、新規の研究プロジェクトである「Ｅ−ＵＴＲＡおよびＥ−ＵＴＲＡＮ−上位層の態様のためのスモールセル強化（Ｓｍａｌｌ  Ｃｅｌｌ  Ｅｎｈａｎｃｅｍｅｎｔｓ  ｆｏｒ  Ｅ−ＵＴＲＡ  ａｎｄ  Ｅ−ＵＴＲＡＮ−ｈｉｇｈｅｒ−ｌａｙｅｒ  ａｓｐｅｃｔｓ）」が承認されており、これの重要な意義は、マクロセルおよびスモールセルへのマルチリンク接続をサポートすることにある。マクロセルへの確立された第１の接続および典型的なスモールセルであるピコセルへの確立された第２の接続といった、１つのユーザ機器（ＵＥ：Ｕｓｅｒ  Ｅｑｕｉｐｍｅｎｔ）用に確立されたマルチリンク接続が存在する場合、このＵＥは、マクロセルへの第１の接続を介して、高密度で配置されているピコセル間の頻繁なスイッチングを回避することができ、同時にピコセルへの第２の接続を介して完全なゲインを得ることができる。
【０００３】
周知のように、基地局は、ユーザにリソースを割り当てるスケジューリングのための重要な機能を有し、これにより所望のＱｏＳおよびシステム容量を達成する。パワーヘッドルーム報告（ＰＨＲ）は、上りリンク・スケジューリングのための１つの重要な入力である。上りリンク・システムにおけるパワーヘッドルーム報告の重要性は、上りリンク・リソースのスケジューリングにおいて要求されるいくつかの重要な情報、即ちＵＥ側の電力情報を基地局（例えばｅＮＢ）に提供することにある。既存のシステムでは、一般に１つのユーザに対してただ１つの供給基地局が存在するため、ユーザは、全てのアクティブ・セルのパワーヘッドルーム報告を１つの基地局へと送るだけでよい。しかしながら、２つ以上のリンク接続をサポートする必要がある場合、ユーザは２つ以上の供給基地局と、（２つ以上の基地局が非理想的バックホールを通じてリンクされる場合に）２つ以上の個別のスケジューラとを必要とするので、ユーザは２つ以上の基地局へとパワーヘッドルームを報告する必要がある。
【０００４】
既存のシステムでは、（キャリア・アグリゲーション（ＣＡ：Ｃａｒｒｉｅｒ  Ａｇｇｒｅｇａｔｉｏｎ）を用いる場合、複数の供給セルが存在し、これらのセルは物理的にコロケートされるが）ただ１つの供給ノードまたは基地局しか存在しないので、以下の理由、例えば、
リソースをスケジューリングするために、ただ１つの供給ノードまたは基地局がパワーヘッドルームを取得すればよいこと、
トリガ条件のただ１つのグループを１つのリンクに対して保持すればよいため、ＣＡを用いる場合でさえ、パワーヘッドルーム報告中にトリガ条件のただ１つのグループを保持すればよいこと、および
物理的上りリンクのリンク制御チャネルは、一次キャリアまたは一次セル（ＰＣｅｌｌ）でのみ送信されるので、ただ１つのタイプ２のパワーヘッドルーム報告が必要であること
のためにパワーヘッドルーム報告は比較的単純である。
【０００５】
しかしながら、強化されたスモールセルの場合、即ちマルチリンク接続のサポートを要求する場合、例えば、
２つ以上の供給基地局（例えば、マクロセル基地局およびスモールセル基地局）が存在するため、ユーザはパワーヘッドルームをこれら２つ以上の基地局へとそれぞれ報告する必要があるというパワーヘッドルーム報告に際するいくつかの新規の問題が発生し、これらの問題を解決する必要がある。単一のキャリア・システムでは、ユーザは、送信電力を得るために、マクロセル基地局およびスモールセル基地局用に構成されたキャリアについて２つのパスロス値をそれぞれ取得して電力制御を実行する必要があり、かつパワーヘッドルームを２つの基地局の２つのキャリアについてそれぞれ計算する必要がある。マルチキャリア・アグリゲーションの場合、各基地局は複数のキャリアで構成される。ユーザは、異なる基地局の異なるキャリアについて異なる送信電力を取得し、これらの送信電力に基づいて各基地局の各キャリアについてパワーヘッドルームを計算する必要がある。よって、ユーザがパワーヘッドルーム報告を２つ以上の基地局に同時に送る必要がある場合、各基地局にどの値を報告するべきか、およびこれをどのように報告するべきかといった問題を解決する必要がある。
【発明の概要】
【発明が解決しようとする課題】
【０００６】
したがって、既存のパワーヘッドルーム報告機構は２つ以上のリンク接続をサポートできない。デュアル／マルチリンク接続の新規の特徴を考慮した新しいパワーヘッドルーム報告機構への需要がある。
【課題を解決するための手段】
【０００７】
上記の問題を考慮し、本発明の実施形態は、マルチリンク接続のサポートにおいてパワーヘッドルームを報告するための方法および装置を提供する。
【０００８】
本発明の一態様によると、マルチリンク接続のサポートにおいてパワーヘッドルームを報告するための方法であって、ユーザ機器により、１つまたは複数の構成されたパワーヘッドルーム報告パラメータを、マルチリンク接続が接続された複数の基地局のうち少なくとも１つから受信するステップと、ユーザ機器において、マルチリンク接続に対応するパワーヘッドルーム報告タイマーの複数のグループをそれぞれ保持し、かつマルチリンク接続に対応するパワーヘッドルームを報告するためのトリガ条件の複数のグループをそれぞれ保持するステップであって、パワーヘッドルーム報告タイマーの複数のグループのグループ数と、パワーヘッドルームを報告するためのトリガ条件の複数のグループのグループ数とは、マルチリンク接続の接続数とそれぞれ同一である、ステップと、パワーヘッドルームを報告するためのトリガ条件の１つのグループのうち少なくとも１つのトリガ条件が、複数の基地局の対応する基地局に対して満たされると、続いて対応する基地局用のパワーヘッドルームを計算してパワーヘッドルーム報告を生成するステップと、対応する基地局へとパワーヘッドルーム報告を送るステップとを含む方法が提供される。
【０００９】
本発明の別の態様によると、マルチリンク接続のサポートにおいてパワーヘッドルームを報告するための方法であって、基地局により、マルチリンク接続に対応するパワーヘッドルーム報告パラメータの複数のグループを構成するステップであって、パワーヘッドルーム報告パラメータの複数のグループのグループ数は、マルチリンク接続の接続数と同一である、ステップと、パワーヘッドルーム報告パラメータの構成された複数のグループを、ユーザ機器へと送るステップと、ユーザ機器が基地局用に生成するパワーヘッドルーム報告を、ユーザ機器から受信するステップとを含む方法が提供される。
【００１０】
本発明のまた別の態様によると、マルチリンク接続のサポートにおいてパワーヘッドルームを報告するための装置であって、マルチリンク接続が接続された複数の基地局のうち少なくとも１つから、１つまたは複数の構成されたパワーヘッドルーム報告パラメータを受信するよう構成された受信機と、１つまたは複数の受信したパワーヘッドルーム報告パラメータを少なくとも保存するよう構成されたメモリと、マルチリンク接続に対応するパワーヘッドルーム報告タイマーの複数のグループをそれぞれ保持し、かつマルチリンク接続に対応するパワーヘッドルームを報告するためのトリガ条件の複数のグループをそれぞれ保持するよう構成されたプロセッサであって、パワーヘッドルーム報告タイマーの複数のグループのグループ数と、パワーヘッドルームを報告するためのトリガ条件の複数のグループのグループ数とは、マルチリンク接続の接続数と同一であり、および、パワーヘッドルームを報告するためのトリガ条件の１つのグループのうち少なくとも１つが、複数の基地局の対応する基地局に対して満たされると、対応する基地局用のパワーヘッドルームを計算してパワーヘッドルーム報告を生成するよう更に構成された、プロセッサと、パワーヘッドルーム報告を対応する基地局へと送るよう構成された送信機とを備える装置が提供される。
【００１１】
本発明のまた別の態様によると、マルチリンク接続のサポートにおいてパワーヘッドルームを報告するための装置であって、マルチリンク接続に対応するパワーヘッドルーム報告パラメータの複数のグループを構成するよう構成されたプロセッサであって、パワーヘッドルーム報告パラメータの複数のグループのグループ数は、マルチリンク接続の接続数と同一である、プロセッサと、パワーヘッドルーム報告パラメータの構成された複数のグループをユーザ機器へと送るよう構成された送信機と、ユーザ機器が基地局用に生成するパワーヘッドルーム報告をユーザ機器から受信するよう構成された受信機と、パワーヘッドルーム報告パラメータの構成された複数のグループと、受信したパワーヘッドルーム報告とを保存するよう構成されたメモリとを備える装置が提供される。
【００１２】
図面と併せておよび以下の記述を参照して、本発明の様々な実施形態の特徴、利点および他の態様がより明確になり、例示的な非限定的な方法で本発明のいくつかの実施形態が本明細書中で与えられる。
【図面の簡単な説明】
【００１３】
【図１】本発明の一実施形態によるパワーヘッドルームを報告するための方法を適用した例示的な環境を示す図であり、ユーザ機器ＵＥは、複数の異なるキャリアでそれぞれ構成されたマクロセル基地局ＢＳ１およびスモールセル基地局ＢＳ２から同時に供給される。
【図２】本発明の一実施形態によるパワーヘッドルームを報告するための方法を適用した例示的な環境を示す図であり、ユーザ機器ＵＥは、少なくとも１つの同じキャリアで構成されたマクロセル基地局ＢＳ１およびスモールセル基地局ＢＳ２から同時に供給される。
【図３】ユーザ機器において実行される、本発明の一実施形態によるマルチリンク接続のサポートにおいてパワーヘッドルームを報告するための方法３００のフローチャートである。
【図４】基地局において実行される、本発明の一実施形態によるマルチリンク接続のサポートにおいてパワーヘッドルームを報告するための方法４００のフローチャートである。
【図５】本発明の一実施形態によるマルチリンク接続のサポートにおいてパワーヘッドルームを報告するための、ユーザ機器側の装置５００および基地局側の装置５１０のブロック図である。
【発明を実施するための形態】
【００１４】
図面を参照しながら、以下に本発明の様々な例示的な実施形態を説明する。
【００１５】
これらの例示的な実施形態は、本発明の保護範囲を多少なりとも制限するものではなく、単に本発明が当業者によりよく理解され実施されるようにすることを意図したものであることを理解されたい。
【００１６】
本発明の実施形態による２つのリンク接続またはそれ以上のリンク接続のサポートにおいてパワーヘッドルームを報告するための機構は、以下の規定を満たす必要がある。（１）ＵＥは、２つのリンク接続またはそれ以上のリンク接続が接続された２つ以上の基地局用の、２つ以上の個別のパワーヘッドルーム報告手順をそれぞれ保持しなければならない。（２）異なるセルの基地局（例えばマクロセル基地局およびスモールセル基地局）用のパワーヘッドルーム報告の送信は個別にトリガされる。（３）例えばデュアルリンク接続の場合にパワーヘッドルーム報告パラメータの２つ以上のグループを構成することにより、マクロセル基地局およびスモールセル基地局用の１つまたは２つのＰＨＲ周期タイマー（即ちｐｅｒｉｏｄｉｃＰＨＲ−Ｔｉｍｅｒ）の値と、１つまたは複数のＰＨＲ禁止タイマー（即ちｐｒｏｈｉｂｉｔＰＨＲ−Ｔｉｍｅｒ）の値とをＲＲＣメッセージを用いて構成することにより、ならびにマクロセル基地局およびスモールセル基地局用の１つまたは２つの下りリンク・パスロス変化閾値（即ちｄｌ−ＰａｔｈｌｏｓｓＣｈａｎｇｅ）を構成することにより、パワーヘッドルーム報告を制御する。（４）上記２つのリンク接続またはそれ以上のリンク接続に関しては、ユーザは、ｐｅｒｉｏｄｉｃＰＨＲ−ＴｉｍｅｒおよびｐｒｏｈｉｂｉｔＰＨＲ−Ｔｉｍｅｒの２つ以上のグループをそれぞれ保持し、かつパワーヘッドルーム報告の送信をトリガするためのトリガ条件の２つ以上のグループをそれぞれ保持する必要がある。（５）ＵＥの物理層は、送信電力に基づいて各基地局の各構成されたキャリアについて対応するパワーヘッドルームをそれぞれ取得し、ユーザは、対応するキャリアについて、これらのパワーヘッドルーム値と最大送信電力ＰＣＭＡＸ，ｃとを物理層から取得する。（６）ＵＥは、対応するセル用に構成されたキャリアについてのパワーヘッドルームのみを報告する。
【００１７】
これより、デュアルリンク接続のサポートにおいてパワーヘッドルームを報告するための機構について図面と併せてより詳細に説明する。デュアルリンク接続の例を用いて本発明の方法を説明するが、本発明がデュアルリンク接続に限定されるものではなく、例えばＰＨＲパラメータのグループ数、ＰＨＲタイマーのグループ数、ＰＨＲトリガ条件のグループ数等を少なくとも構成することにより、３つ以上のリンク接続の無線通信システムをサポートするよう拡張できることは、当業者には理解されるであろう。
【００１８】
図１は、本発明の一実施形態によるパワーヘッドルームを報告するための方法を適用した例示的な環境を示しており、ここでユーザ機器ＵＥは、複数の異なるキャリアでそれぞれ構成されたマクロセル基地局ＢＳ１およびスモールセル基地局ＢＳ２から同時に供給される。図１に示すように、マクロセル基地局ＢＳ１は３つのキャリア（ｆ１、ｆ２およびｆ３）で構成され、スモールセル基地局ＢＳ２は２つのキャリア（ｆ４およびｆ５）で構成される。
【００１９】
デュアルリンク接続をサポートするために、上記の特定の規定（１）〜（６）に基づいて、ユーザはアクティブ化された各セルについてのパワーヘッドルームを、そのキャリアが構成された基地局へと報告してよく、例えばユーザはアクティブ化されたキャリアｆ１、ｆ２およびｆ３についてのパワーヘッドルームをマクロセル基地局ＢＳ１へと報告し、アクティブ化されたキャリアｆ４およびｆ５についてのパワーヘッドルームをスモールセル基地局ＢＳ２へと報告してよい。
【００２０】
異なる基地局（例えばマクロセル基地局およびスモールセル基地局）用のパワーヘッドルーム報告を、個別にトリガしてよい。単一のリンク接続をサポートするだけの既存のシステムにおいてパワーヘッドルーム報告をトリガするためのトリガ条件を、（Ｅ−ＵＴＲＡＮ等の）デュアルリンク接続をサポートする無線通信システムにおいて使用してよい。例えば、これらのトリガ条件は、
（１）ｐｒｏｈｉｂｉｔＰＨＲ−Ｔｉｍｅｒが満了するかまたは既に満了しており、少なくとも１つのアクティブ化された供給セルについて、最後のパワーヘッドルーム報告が送信されてからの下りリンク・パスロスの変化量が下りリンク・パスロス変化閾値ｄｌ−ＰａｔｈｌｏｓｓＣｈａｎｇｅ  ｄＢを超えること、
（２）ｐｅｒｉｏｄｉｃＰＨＲ−Ｔｉｍｅｒが満了すること、
（３）ＵＥの上位層がパワーヘッドルームを報告するための機能を構成または再構成すること、および
（４）構成された上りリンクの二次セル（ＳＣｅｌｌ）がアクティブ化されること
を含む。
【００２１】
これより、パワーヘッドルーム報告の上記のトリガ条件（１）〜（４）を、図１に示すような環境において本発明の実施形態によるパワーヘッドルームを報告するための機構に対してどのように適用するかを説明する。
【００２２】
マクロセル基地局およびスモールセル基地局へのデュアルリンク接続をサポートするために、第１のトリガ条件（１）に関しては、ユーザはＵＥにおいて、２つのｐｒｏｈｉｂｉｔＰＨＲ−Ｔｉｍｅｒのタイマー（１つはマクロセル基地局用、もう一方はスモールセル基地局用）を保持してよい。マクロセル基地局用のｐｒｏｈｉｂｉｔＰＨＲ−Ｔｉｍｅｒのタイマーが満了し、最後のＰＨＲ送信が送信されてからのパスロスの変化量が、構成された下りリンク・パスロスの基準閾値（ｄｌ−ＰａｔｈｌｏｓｓＣｈａｎｇｅ）を超えると、マクロセル基地局用にパワーヘッドルームが計算されてパワーヘッドルーム報告が生成される。また、マクロセル基地局内に構成された個々のキャリアについてのパワーヘッドルームを、パワーヘッドルーム報告を送信するためのＭＡＣ  ＣＥ（メディアアクセス制御用制御エレメント：Ｍｅｄｉａ  Ａｃｃｅｓｓ  Ｃｏｎｔｒｏｌ  ｃｏｎｔｒｏｌ  ｅｌｅｍｅｎｔ）を形成することにより、マクロセル基地局へと報告してよい。同様に、スモールセル基地局用のｐｒｏｈｉｂｉｔＰＨＲ−Ｔｉｍｅｒのタイマーが満了し、最後のＰＨＲ送信が送信されてからのパスロスの変化量が、構成された下りリンク・パスロスの基準閾値を超えると、スモールセル基地局用にパワーヘッドルームが計算されてパワーヘッドルーム報告が生成される。また、スモールセル基地局内に構成された個々のキャリアについてのパワーヘッドルームを、ＭＡＣ  ＣＥにより、スモールセル基地局へと報告してよい。
【００２３】
同様に、第２のトリガ条件（２）に関しては、ユーザは２つのｐｅｒｉｏｄｉｃＰＨＲ−Ｔｉｍｅｒのタイマー（１つはマクロセル基地局用、もう一方はスモールセル基地局用）を保持してよい。マクロセル基地局用のｐｅｒｉｏｄｉｃＰＨＲ−Ｔｉｍｅｒのタイマーが満了すると、マクロセル基地局用にパワーヘッドルームが計算されてパワーヘッドルーム報告が生成される。また、マクロセル基地局内に構成された個々のキャリアについてのパワーヘッドルームを、ＭＡＣ  ＣＥにより、マクロセル基地局へと報告してよく、スモールセル基地局用のｐｅｒｉｏｄｉｃＰＨＲ−Ｔｉｍｅｒのタイマーが満了すると、スモールセル基地局用にパワーヘッドルームが計算されてパワーヘッドルーム報告が生成される。また、スモールセル基地局内に構成された個々のキャリアについてのパワーヘッドルームを、ＭＡＣ  ＣＥにより、スモールセル基地局へと報告してよい。
【００２４】
第３のトリガ条件（３）に関しては、ＵＥの上位層が、パワーヘッドルームを報告するための機能を構成または再構成する場合、例えばマクロセル基地局がパワーヘッドルームを報告するための機能を構成または再構成すると、マクロセル基地局用のパワーヘッドルーム報告の送信がトリガされることになり、スモールセル基地局がパワーヘッドルームを報告するための機能を構成または再構成すると、スモールセル基地局用のパワーヘッドルーム報告の送信がトリガされることになり、マクロセル基地局およびスモールセル基地局の両方がパワーヘッドルームを報告するための機能を構成および再構成すると、これら２つのセル基地局用のパワーヘッドルーム報告の送信がそれぞれトリガされることになる。
【００２５】
最後のトリガ条件（４）に関しては、１つの基地局用に構成された上りリンクの１つの二次キャリアまたは二次セル（ＳＣｅｌｌ）がアクティブ化された時、この基地局用のパワーヘッドルーム報告の送信がトリガされる。例えば、１つの二次キャリアがマクロセル基地局用の上りリンク上でアクティブ化されると、パワーヘッドルーム報告はマクロセル基地局へと送られ、１つの二次キャリアがスモールセル基地局用の上りリンク上でアクティブ化されると、パワーヘッドルーム報告はスモールセル基地局へと送られる。
【００２６】
デュアル／マルチリンク接続をサポートする無線通信システムでは、非理想的バックホールを介してリンクする場合、マクロセルおよびスモールセルは個別にスケジューリングされ、ここでＰＵＣＣＨはマクロセルおよびスモールセルの両方においてサポートされるべきである。よって、複数のキャリアの場合、これらの２つのセルの各セルについて、ＰＵＣＣＨをサポートするために１つの一次キャリアまたは一次セル（ＰＣｅｌｌ）が存在するので、拡張されたＰＨＲを構成する必要がある。例えば、ｆ１をマクロセル内のユーザ用のＰＣｅｌｌとして構成してよく、ｆ４をスモールセル内のユーザ用のＰＣｅｌｌとして構成してよい。ｓｉｍｕｌｔａｎｅｏｕｓＰＵＣＣＨ−ＰＵＳＣＨを構成すると、ＰＣｅｌｌ（ｆ１）用のタイプ２  ＰＨＲがマクロセル基地局へと送信されることになり、ＰＣｅｌｌ（ｆ４）用のタイプ２  ＰＨＲがスモールセル基地局へと送信されることになる。
【００２７】
図２は、本発明の一実施形態によるパワーヘッドルームを報告するための方法を適用した例示的な環境を示しており、ここでユーザ機器ＵＥは、少なくとも１つの同じキャリアで構成されたマクロセル基地局ＢＳ１およびスモールセル基地局ＢＳ２から同時に供給される。図２に示すように、マクロセル基地局ＢＳ１は３つのキャリア（ｆ１、ｆ２およびｆ３）で構成され、スモールセル基地局ＢＳ２は２つのキャリア（ｆ３およびｆ４）で構成される。マクロセル基地局およびスモールセル基地局は、１つの同じキャリアｆ３で構成される。
【００２８】
本発明の実施形態によるパワーヘッドルームを報告するため方法は、以下で議論することを除いて、図２に示すような環境と、図１に示すような環境とにおいて実質的に同じ操作を有する。即ち図２に示すような環境では、ＵＥがアクティブ化された各キャリアについてのパワーヘッドルームを、これらのキャリアで構成された対応するセルへと報告する必要がある場合、例えば、ＵＥがキャリアｆ１、ｆ２およびｆ３についてのパワーヘッドルームを、マクロセル基地局ＢＳ１へと報告し、かつキャリアｆ３およびｆ４についてのパワーヘッドルームを、スモールセル基地局ＢＳ２へと報告する必要がある場合、基地局ＢＳ１およびＢＳ２は、両方とも同じキャリアｆ３で構成されているので、まず初めに、マクロセル基地局ＢＳ１用に構成されたキャリア３についての送信電力と、スモールセル基地局ＢＳ２用に構成されたキャリア３についての送信電力とを区別して、基地局ＢＳ１およびＢＳ２用にキャリア３についてのパワーヘッドルームをそれぞれ計算し、その後マクロセル基地局ＢＳ１およびスモールセル基地局ＢＳ２へとパワーヘッドルーム報告を送ることが要求される。一般的には、ＵＥからマクロセル基地局までのパスロスは、ＵＥからスモールセル基地局へのパスロスと異なっており、これによりマクロセル基地局およびスモールセル基地局への送信電力が異なることになり、したがって同じキャリア３を用いていても、マクロセル基地局およびスモールセル基地局に関しては、キャリア３についてのパワーヘッドルーム値は通常異なる。
【００２９】
本発明の実施形態によるマルチリンク接続のサポートにおいてパワーヘッドルームを報告するための方法を、図３および図４を参照して詳細に説明する。
【００３０】
図３は、ＵＥにおいて実行される、本発明の一実施形態によるマルチリンク接続のサポートにおいてパワーヘッドルームを報告するための方法３００のフローチャートを示す。
【００３１】
図３に示すように、ブロック３１０では、ＵＥは、マルチリンク接続が接続された複数の基地局のうち少なくとも１つから、１つまたは複数の構成されたパワーヘッドルーム報告パラメータを受信する。本発明の一実施形態によると、１つまたは複数のパワーヘッドルーム報告パラメータは、ＰＨＲ周期タイマー値、ＰＨＲ禁止タイマー値、および下りリンク・パスロス変化閾値のうちの１つを少なくとも含む。ブロック３１１では、ＵＥは、マルチリンク接続に対応するＰＨＲタイマーの複数のグループをそれぞれ保持し、かつマルチリンク接続に対応するパワーヘッドルームを報告するためのトリガ条件の複数のグループをそれぞれ保持し、ここでＰＨＲタイマーの複数のグループのグループ数と、パワーヘッドルームを報告するためのトリガ条件の複数のグループのグループ数とは、マルチリンク接続の接続数とそれぞれ同一である。本発明の一実施形態によると、ＵＥにより保持されるトリガ条件の複数のグループの各グループは、以下、保持されたＰＨＲ周期タイマーが満了すること、保持されたＰＨＲ禁止タイマーが満了するかまたは既に満了しており、かつ最後のパワーヘッドルーム報告が送られてからの下りリンク・パスロスの変化量が構成された下りリンク・パスロス変化閾値を超えること、少なくとも１つの基地局が、パワーヘッドルームを報告するための機能を構成または再構成すること、および、二次セルがアクティブ化されること、のうちの１つを少なくとも含む。続いて、ブロック３１２では、パワーヘッドルームを報告するためのトリガ条件の複数のグループの１つのグループのうち少なくとも１つが、マルチリンク接続が接続された複数の基地局の対応する基地局に対して満たされると、続いて対応する基地局用にパワーヘッドルームを計算してパワーヘッドルーム報告を生成する。本発明の一実施形態によると、対応する基地局用のパワーヘッドルームの計算は、対応する基地局用に構成された１つまたは複数のキャリアのアクティブ化された各キャリアについてパワーヘッドルームを計算することを含む。本発明の別の実施形態によると、マルチリンク接続が接続された複数の基地局の同一のキャリアを用いた２つ以上の基地局用にパワーヘッドルームを計算する場合、同じキャリアについてのパワーヘッドルームがそれぞれ決定される。最後に、ブロック３１３では、ＵＥは対応する基地局へと生成されたパワーヘッドルーム報告を送る。本発明の一実施形態では、ＵＥはパワーヘッドルーム報告を送信するためにＭＡＣ  ＣＥを形成し、このＭＡＣ  ＣＥを通して対応する基地局へとパワーヘッドルーム報告を送ってよい。
【００３２】
図４は、基地局において実行される、本発明の一実施形態によるマルチリンク接続のサポートにおいてパワーヘッドルームを報告するための方法４００のフローチャートを示す。
【００３３】
図４に示すように、ブロック４１０では、基地局は、マルチリンク接続に対応するパワーヘッドルーム報告パラメータの複数のグループを構成し、ここでパワーヘッドルーム報告パラメータの複数のグループのグループ数は、マルチリンク接続の接続数と同一である。本発明の一実施形態によると、パワーヘッドルーム報告パラメータの複数のグループの各グループは、ＰＨＲ周期タイマー値、ＰＨＲ禁止タイマー値、および下りリンク・パスロス変化閾値のうちの１つを少なくとも含む。その後、ブロック４１１では、基地局はパワーヘッドルームパラメータの構成された複数のグループをＵＥへと送る。最後に、ブロック４１２では、基地局はこの基地局用に取得されたパワーヘッドルーム報告をＵＥから受信する。
【００３４】
本発明の一実施形態によるマルチリンク接続のサポートにおいてパワーヘッドルームを報告するための装置を、図５を参照して詳細に説明する。
【００３５】
図５は、本発明の実施形態によるマルチリンク接続のサポートにおいてパワーヘッドルームを報告するための、ＵＥ側における装置５００および基地局側における装置５１０のブロック図を示す。
【００３６】
図５に示すように、ＵＥ側の装置５００は、パワーヘッドルーム報告を基地局へと送り、構成されたパワーヘッドルーム報告パラメータを基地局５１０から受信するよう構成された、送信機／受信機５０１と、装置５００が本発明の実施形態による方法３００を実行できるよう構成されたプロセッサ５０２であって、例えば、マルチリンク接続に対応したＰＨＲタイマーの複数のグループをそれぞれ保持するため、かつマルチリンク接続に対応したパワーヘッドルームを報告するためのトリガ条件の複数のグループをそれぞれ保持するために使用してよく、および、パワーヘッドルームを報告するためのトリガ条件の複数のグループの１つのグループのうち少なくとも１つが、マルチリンク接続が接続された複数の基地局の対応する基地局に対して満たされた場合、続いて対応する基地局用にパワーヘッドルームを計算してパワーヘッドルーム報告を生成するよう構成された、プロセッサ５０２と、受信したパワーヘッドルーム報告パラメータを保存するよう、および本発明の実施形態による方法３００を実行するために要求されるプログラム命令およびデータを保存するよう構成されたメモリ５０２とを少なくとも備える。
【００３７】
図５に示すように、基地局側の装置５１０は、パワーヘッドルーム報告パラメータをＵＥへと送り、報告されたパワーヘッドルーム報告をＵＥから受信するよう構成された、送信機／受信機５１１と、装置５１０が本発明の実施形態による方法４００を実行できるよう構成されたプロセッサ５１２であって、このプロセッサは例えば、マルチリンク接続に対応するパワーヘッドルーム報告パラメータの複数のグループを構成するために使用してよい、プロセッサ５１２と、受信したパワーヘッドルーム報告および構成されたパワーヘッドルーム報告パラメータを保存するよう、ならびに本発明の実施形態による方法４００を実行するために要求されるプログラム命令およびデータを保存するよう構成された、メモリ５１２とを少なくとも備える。
【００３８】
上記では、デュアルリンク接続をサポートするＬＴＥ−Ａシステムを例として用いて説明したが、本発明の方法がＬＴＥ−ＡシステムおよびＬＴＥ−Ａシステムのより高度なシステムに限定されないこと、ならびにデュアルリンク接続をサポートする他の無線通信システムおよび将来標準化されるかまたは台頭してくるであろうより多くのリンク接続をサポートする無線通信システムにも好適であることは、当業者には理解されるであろう。
【００３９】
図面を参照して行った上記の説明は、単に本発明を示すために与えられたものである。上記の本発明の原理に基づいて、異なる方法ステップまたは装置構造を提案してよいことは、当業者には理解されるであろう。これらの異なる方法ステップまたは装置構造は、本明細書中で明示的に説明または示されてはいないが、本発明の原理を反映したものであり、本発明の精神および範囲の適用範囲である。さらに、全ての例は、本発明の原理および本発明者が当分野の技術の発展を容易にすることに寄与するコンセプトを読み手が理解することを補助するために教示する目的で本明細書中に与えられたものであり、本発明の範囲を限定するものとして理解されるべきではない。また、本明細書中で言及した本発明の原理、態様および実施形態の記述ならびに特定の例は、本発明の均等物を含むものである。
【図３】
2016518063.tif 000003
【図４】
2016518063.tif 000004
【図５】
2016518063.tif 000005
【図１】
2016518063.tif 000006
【図２】
2016518063.tif 000007
【国際調査報告】
2016518063.tif 000008
2016518063.tif 000009
2016518063.tif 000010